(57)【特許請求の範囲】
【請求項１】
有機発光ダイオードと、
第１電源から前記有機発光ダイオードに供給される電流量を制御するための第２トランジスタと、
データ線と前記第２トランジスタのゲート電極との間に接続され、走査線に走査信号が供給される時にターンオンされる第１トランジスタと、
前記走査信号と重畳し、前記走査信号より広い幅を有する電源信号の供給を受ける電源線と前記第２トランジスタのゲート電極との間に接続される第１キャパシタと、
前記第２トランジスタのゲート電極と前記有機発光ダイオードのアノード電極との間に接続されるフィードバックキャパシタと
を備え、
前記第１電源と前記第２トランジスタのゲート電極との間に接続される第２キャパシタを更に備えることを特徴とする画素回路。
【請求項２】
走査線に走査信号を順次供給するための走査駆動部と、
電源線に電源信号を順次供給するための電源信号供給部と、
前記走査信号と同期されるようにデータ線にデータ信号を供給するためのデータ駆動部と、
前記走査線、データ線及び電源線の交差部に位置する画素回路とを備え、
ｉ（ｉは自然数）番目の水平ラインに位置する前記画素回路のそれぞれは、
有機発光ダイオードと、
第１電源から前記有機発光ダイオードに供給される電流量を制御するための第２トランジスタと、
前記データ線と前記第２トランジスタのゲート電極との間に接続され、ｉ番目の走査線に前記走査信号が供給される時にターンオンされる第１トランジスタと、
ｉ番目の電源線と前記第２トランジスタのゲート電極との間に接続される第１キャパシタと、
前記第２トランジスタのゲート電極と前記有機発光ダイオードのアノード電極との間に接続されるフィードバックキャパシタと
を備え、
前記電源信号が供給される時に前記電源線には第３電源の電圧が供給され、前記電源信号が供給されない時に前記電源線には前記第３電源より高い第４電源の電圧が供給されることを特徴とする有機電界発光表示装置。
【請求項３】
前記第３電源及び第４電源の電圧は、前記第２トランジスタで前記データ信号に対応して流れ得る電流より高い電流が流れることができるように設定されることを特徴とする請求項２に記載の有機電界発光表示装置。
【請求項４】
走査線に走査信号を順次供給するための走査駆動部と、
電源線に電源信号を順次供給するための電源信号供給部と、
前記走査信号と同期されるようにデータ線にデータ信号を供給するためのデータ駆動部と、
前記走査線、データ線及び電源線の交差部に位置する画素回路とを備え、
ｉ（ｉは自然数）番目の水平ラインに位置する前記画素回路のそれぞれは、
有機発光ダイオードと、
第１電源から前記有機発光ダイオードに供給される電流量を制御するための第２トランジスタと、
前記データ線と前記第２トランジスタのゲート電極との間に接続され、ｉ番目の走査線に前記走査信号が供給される時にターンオンされる第１トランジスタと、
ｉ番目の電源線と前記第２トランジスタのゲート電極との間に接続される第１キャパシタと、
前記第２トランジスタのゲート電極と前記有機発光ダイオードのアノード電極との間に接続されるフィードバックキャパシタと
を備え、
前記電源信号供給部は、前記ｉ番目の走査線に供給される走査信号と重畳し、前記走査信号より広い幅を有する前記電源信号を前記ｉ番目の電源線に供給することを特徴とする有機電界発光表示装置。
【請求項５】
走査線に走査信号を順次供給するための走査駆動部と、
電源線に電源信号を順次供給するための電源信号供給部と、
前記走査信号と同期されるようにデータ線にデータ信号を供給するためのデータ駆動部と、
前記走査線、データ線及び電源線の交差部に位置する画素回路とを備え、
ｉ（ｉは自然数）番目の水平ラインに位置する前記画素回路のそれぞれは、
有機発光ダイオードと、
第１電源から前記有機発光ダイオードに供給される電流量を制御するための第２トランジスタと、
前記データ線と前記第２トランジスタのゲート電極との間に接続され、ｉ番目の走査線に前記走査信号が供給される時にターンオンされる第１トランジスタと、
ｉ番目の電源線と前記第２トランジスタのゲート電極との間に接続される第１キャパシタと、
前記第２トランジスタのゲート電極と前記有機発光ダイオードのアノード電極との間に接続されるフィードバックキャパシタと
を備え、
前記データ信号は実際に表現しようとする階調よりも高い階調に対応する電圧に設定されることを特徴とする有機電界発光表示装置。
【請求項６】
走査線に走査信号を順次供給するための走査駆動部と、
電源線に電源信号を順次供給するための電源信号供給部と、
前記走査信号と同期されるようにデータ線にデータ信号を供給するためのデータ駆動部と、
前記走査線、データ線及び電源線の交差部に位置する画素回路とを備え、
ｉ（ｉは自然数）番目の水平ラインに位置する前記画素回路のそれぞれは、
有機発光ダイオードと、
第１電源から前記有機発光ダイオードに供給される電流量を制御するための第２トランジスタと、
前記データ線と前記第２トランジスタのゲート電極との間に接続され、ｉ番目の走査線に前記走査信号が供給される時にターンオンされる第１トランジスタと、
ｉ番目の電源線と前記第２トランジスタのゲート電極との間に接続される第１キャパシタと、
前記第２トランジスタのゲート電極と前記有機発光ダイオードのアノード電極との間に接続されるフィードバックキャパシタと
を備え、
前記第１電源と前記第２トランジスタのゲート電極との間に接続される第２キャパシタを更に備えることを特徴とする有機電界発光表示装置。
【請求項７】
走査線に走査信号を順次供給するための走査駆動部と、
前記走査信号と同期されるようにデータ線にデータ信号を供給するためのデータ駆動部と、
前記走査線及びデータ線の交差部に位置する画素回路とを備え、
ｉ（ｉは自然数）番目の水平ラインに位置する前記画素回路のそれぞれは、
有機発光ダイオードと、
第１電源から前記有機発光ダイオードに供給される電流量を制御するための第２トランジスタと、
データ線と前記第２トランジスタのゲート電極との間に接続され、ｉ番目の走査線に前記走査信号が供給される時にターンオンされる第１トランジスタと、
前記ｉ番目の走査線と前記第２トランジスタのゲート電極との間に接続される第１キャパシタと、
前記第１電源と前記第２トランジスタのゲート電極との間に接続される第２キャパシタと、
前記第２トランジスタのゲート電極と前記有機発光ダイオードのアノード電極との間に接続されるフィードバックキャパシタと
を備え、
前記走査信号が供給される時に前記走査線には第３電源の電圧が供給され、前記走査信号が供給されない時に前記走査線には前記第３電源より高い第４電源の電圧が供給され、
前記第３電源及び第４電源の電圧は、前記第２トランジスタで前記データ信号に対応して流れ得る電流より高い電流が流れることができるように設定されることを特徴とする有機電界発光表示装置。
【請求項８】
走査線に走査信号を順次供給するための走査駆動部と、
前記走査信号と同期されるようにデータ線にデータ信号を供給するためのデータ駆動部と、
前記走査線及びデータ線の交差部に位置する画素回路とを備え、
ｉ（ｉは自然数）番目の水平ラインに位置する前記画素回路のそれぞれは、
有機発光ダイオードと、
第１電源から前記有機発光ダイオードに供給される電流量を制御するための第２トランジスタと、
データ線と前記第２トランジスタのゲート電極との間に接続され、ｉ番目の走査線に前記走査信号が供給される時にターンオンされる第１トランジスタと、
前記ｉ番目の走査線と前記第２トランジスタのゲート電極との間に接続される第１キャパシタと、
前記第１電源と前記第２トランジスタのゲート電極との間に接続される第２キャパシタと、
前記第２トランジスタのゲート電極と前記有機発光ダイオードのアノード電極との間に接続されるフィードバックキャパシタと
を備え、
前記データ信号は実際に表現しようとする階調よりも高い階調に対応する電圧に設定されることを特徴とする有機電界発光表示装置。
【発明の詳細な説明】
【技術分野】
【０００１】
本発明は画素回路及びこれを用いた有機電界発光表示装置に関し、特に、有機発光ダイオードの劣化を補償できるようにした画素回路及びこれを用いた有機電界発光表示装置に関する。
【背景技術】
【０００２】
近年、陰極線管（Cathode Ray Tube：ＣＲＴ）の短所である重さと体積を低減できる各種の平板表示装置が開発されている。平板表示装置としては、液晶表示装置（Liquid Crystal Display：ＬＣＤ）、電界放出表示装置（Field Emission Display：ＦＥＤ）、プラズマ表示パネル（Plasma Display Panel：ＰＤＰ）及び有機電界発光表示装置（Organic Light Emitting Display：ＯＬＥＤ）などが挙げられる。
【０００３】
平板表示装置のうち、有機電界発光表示装置は電子と正孔の再結合によって光を発生する有機発光ダイオードを用いて映像を表示する。このような有機電界発光表示装置は速い応答速度を有すると共に低い消費電力で駆動されるという長所がある。
【０００４】
図１は、従来の有機電界発光表示装置の画素回路を示す回路図である。図１を参照すれば、従来の有機電界発光表示装置の画素回路４は、有機発光ダイオードＯＬＥＤと、データ線Ｄｍ及び走査線Ｓｎに接続されて有機発光ダイオードＯＬＥＤを制御するための画素制御部２とを備える。
【０００５】
有機発光ダイオードＯＬＥＤのアノード電極は画素制御部２に接続され、カソード電極は第２電源ＥＬＶＳＳに接続される。このような有機発光ダイオードＯＬＥＤは画素制御部２から供給される電流に対応して所定輝度の光を生成する。
【０００６】
画素制御部２は、走査線Ｓｎに走査信号が供給される時にデータ線Ｄｍに供給されるデータ信号に対応して有機発光ダイオードＯＬＥＤに供給される電流量を制御する。このために、画素制御部２は第１電源ＥＬＶＤＤと有機発光ダイオードＯＬＥＤとの間に接続された第２トランジスタＭ２と、第２トランジスタＭ２、データ線Ｄｍ及び走査線Ｓｎの間に接続された第１トランジスタＭ１と、第２トランジスタＭ２のゲート電極と第１電極との間に接続されたストレージキャパシタＣｓｔとを備える。
【０００７】
第１トランジスタＭ１のゲート電極は走査線Ｓｎに接続され、第１電極はデータ線Ｄｍに接続される。そして、第１トランジスタＭ１の第２電極はストレージキャパシタＣｓｔの一側端子に接続される。ここで、第１電極はソース電極及びドレイン電極のいずれかに設定され、第２電極は第１電極と異なる電極に設定される。例えば、第１電極がソース電極として設定されると、第２電極はドレイン電極として設定される。走査線Ｓｎ及びデータ線Ｄｍに接続された第１トランジスタＭ１は、走査線Ｓｎから走査信号が供給される時にターンオンされてデータ線Ｄｍから供給されるデータ信号をストレージキャパシタＣｓｔに供給する。このとき、ストレージキャパシタＣｓｔはデータ信号に対応する電圧を充電する。
【０００８】
第２トランジスタＭ２のゲート電極はストレージキャパシタＣｓｔの一側端子に接続され、第１電極はストレージキャパシタＣｓｔの他側端子及び第１電源ＥＬＶＤＤに接続される。そして、第２トランジスタＭ２の第２電極は有機発光ダイオードＯＬＥＤのアノード電極に接続される。このような第２トランジスタＭ２はストレージキャパシタＣｓｔに格納された電圧値に対応して第１電源ＥＬＶＤＤから有機発光ダイオードＯＬＥＤを経由して第２電源ＥＬＶＳＳに流れる電流量を制御する。このとき、有機発光ダイオードＯＬＥＤは第２トランジスタＭ２から供給される電流量に対応する光を生成する。
【０００９】
しかしながら、このような従来の有機電界発光表示装置は、有機発光ダイオードＯＬＥＤの劣化による効率変化によって所望の輝度の映像を表示できないという問題点がある。即ち、時間が経過するにつれて有機発光ダイオードＯＬＥＤが劣化し、これにより、所望の輝度の映像を表示できない。実際に、有機発光ダイオードＯＬＥＤが劣化するほど、低い輝度の光が生成される。
【特許文献１】韓国特許登録第０６７９７１７号
【特許文献２】韓国特許登録第０５７９１９３号
【特許文献３】韓国特許登録第０４５２１１４号
【特許文献４】日本特許公開第２００７−０１１２１８号
【発明の開示】
【発明が解決しようとする課題】
【００１０】
従って、本発明は上記事情に鑑みてなされたものであって、その目的は、有機発光ダイオードの劣化を補償できるようにした画素回路及びこれを用いた有機電界発光表示装置を提供することにある。
【課題を解決するための手段】
【００１１】
前記目的を達成するために、本発明の一側面による画素回路は、有機発光ダイオードと、第１電源から前記有機発光ダイオードに供給される電流量を制御するための第２トランジスタと、データ線と前記第２トランジスタのゲート電極との間に接続され、走査線に走査信号が供給される時にターンオンされる第１トランジスタと、前記走査信号と重畳し、前記走査信号より広い幅を有する電源信号の供給を受ける電源線と前記第２トランジスタのゲート電極との間に接続される第１キャパシタと、前記第２トランジスタのゲート電極と前記有機発光ダイオードのアノード電極との間に接続されるフィードバックキャパシタとを備える。
【００１２】
より好ましくは、前記第１電源と前記第２トランジスタのゲート電極との間に接続される第２キャパシタを更に備える。
【００１３】
本発明の他の側面による画素回路は、有機発光ダイオードと、第１電源から前記有機発光ダイオードに供給される電流量を制御するための第２トランジスタと、データ線と前記第２トランジスタのゲート電極との間に接続され、走査線に走査信号が供給される時にターンオンされる第１トランジスタと、前記走査線と前記第２トランジスタのゲート電極との間に接続される第１キャパシタと、前記第１電源と前記第２トランジスタのゲート電極との間に接続される第２キャパシタと、前記第２トランジスタのゲート電極と前記有機発光ダイオードのアノード電極との間に接続されるフィードバックキャパシタとを備える。
【００１４】
また、本発明の他の側面による有機電界発光表示装置は、走査線に走査信号を順次供給するための走査駆動部と、電源線に電源信号を順次供給するための電源信号供給部と、前記走査信号と同期されるようにデータ線にデータ信号を供給するためのデータ駆動部と、前記走査線、データ線及び電源線の交差部に位置する画素回路とを備え、ｉ（ｉは自然数）番目の水平ラインに位置する前記画素回路のそれぞれは有機発光ダイオードと、第１電源から前記有機発光ダイオードに供給される電流量を制御するための第２トランジスタと、前記データ線と前記第２トランジスタのゲート電極との間に接続され、ｉ番目の走査線に前記走査信号が供給される時にターンオンされる第１トランジスタと、ｉ番目の電源線と前記第２トランジスタのゲート電極との間に接続される第１キャパシタと、前記第２トランジスタのゲート電極と前記有機発光ダイオードのアノード電極との間に接続されるフィードバックキャパシタとを備える。
【００１５】
より好ましくは、前記電源信号が供給される時に前記電源線には第３電源の電圧が供給され、前記電源信号が供給されない時に前記電源線には前記第３電源より高い第４電源の電圧が供給される。前記電源信号供給部は、前記ｉ番目の走査線に供給される走査信号と重畳し、前記走査信号より広い幅を有する前記電源信号を前記ｉ番目の電源線に供給する。前記データ信号は実際に表現しようとする階調よりも高い階調に対応する電圧に設定される。
【００１６】
本発明の更に他の側面による有機電界発光表示装置は、走査線に走査信号を順次供給するための走査駆動部と、前記走査信号と同期されるようにデータ線にデータ信号を供給するためのデータ駆動部と、前記走査線及びデータ線の交差部に位置する画素回路とを備え、ｉ（ｉは自然数）番目の水平ラインに位置する前記画素回路のそれぞれは有機発光ダイオードと、第１電源から前記有機発光ダイオードに供給される電流量を制御するための第２トランジスタと、データ線と前記第２トランジスタのゲート電極との間に接続され、ｉ番目の走査線に前記走査信号が供給される時にターンオンされる第１トランジスタと、前記ｉ番目の走査線と前記第２トランジスタのゲート電極との間に接続される第１キャパシタと、前記第１電源と前記第２トランジスタのゲート電極との間に接続される第２キャパシタと、前記第２トランジスタのゲート電極と前記有機発光ダイオードのアノード電極との間に接続されるフィードバックキャパシタとを備える。
【発明を実施するための最良の形態】
【００１７】
以下、図２〜図８を参照しつつ、本発明の好ましい実施形態を説明する。ここで、第１構成要素と第２構成要素が連結されると説明するにあたり、第１構成要素は第２構成要素と直接連結されてもよく、第３構成要素を介して第２構成要素と間接的に連結されてもよい。また、本発明の完全な理解のための必須的でない構成要素は明確性を図るために省略する。更に、同一部分には同一符号を付す。
【００１８】
図２は、有機発光ダイオードの劣化特性を示す図である。図２においてＩｏｌｅｄは有機発光ダイオードに流れる電流を意味し、Ｖｏｌｅｄは有機発光ダイオードに印加される電圧を意味する。
【００１９】
図２を参照すれば、有機発光ダイオードが劣化するほど、同じ電流に対応してより高い電圧が有機発光ダイオードに印加される。そして、有機発光ダイオードが劣化する前には特定電流範囲Ｉ１〜Ｉ２の変化に対応して電圧がΔＶ１の範囲で変化する。しかしながら、有機発光ダイオードが劣化した後には特定電流範囲Ｉ１〜Ｉ２の変化に対応して電圧がΔＶ１より高く、広い電圧範囲のΔＶ２で変化する。有機発光ダイオードが劣化するほど有機発光ダイオードの抵抗成分が増加することが分かる。
【００２０】
図３は、本発明の実施形態に係る有機電界発光表示装置を示す図である。図３を参照すれば、本発明の実施形態に係る有機電界発光表示装置は、走査線Ｓ１〜Ｓｎ、電源線ＶＬ１〜ＶＬｎ及びデータ線Ｄ１〜Ｄｍによって区画された領域に位置する画素回路１４０を含む画素部１３０と、走査線Ｓ１〜Ｓｎを駆動するための走査駆動部１１０と、データ線Ｄ１〜Ｄｍを駆動するためのデータ駆動部１２０と、電源線ＶＬ１〜ＶＬｎを駆動するための電源信号供給部１６０と、走査駆動部１１０と、データ駆動部１２０及び電源信号供給部１６０を制御するためのタイミング制御部１５０とを備える。
【００２１】
走査駆動部１１０はタイミング制御部１５０の制御によって走査信号を生成し、生成された走査信号を走査線Ｓ１〜Ｓｎに順次供給する。ここで、走査信号の極性は画素回路１４０に含まれるトランジスタがターンオンされるように設定される。例えば、画素回路１４０に含まれるトランジスタがＰＭＯＳである場合、走査信号の極性はロー電圧に設定される。
【００２２】
電源信号供給部１６０は電源線ＶＬ１〜ＶＬｎに電源信号を順次供給する。ここで、電源信号の供給を受ける電源線ＶＬは第３電源の電圧に設定され、電源信号の供給を受けない電源線ＶＬは第３電源より高い第４電源の電圧に設定される。そして、ｉ番目の電源線ＶＬｉに供給される電源信号はｉ番目の走査線Ｓｉに供給される走査信号と重なると同時に走査信号より広い幅に設定される。ここで、電源信号供給部１６０は設計者によって削除されることもできる。この場合、走査信号の供給を受ける走査線Ｓの電圧は第３電源の電圧に設定され、走査信号の供給を受けない走査線Ｓの電圧は第４電源の電圧に設定される。
【００２３】
データ駆動部１２０はタイミング制御部１５０の制御によってデータ信号を生成し、生成されたデータ信号を走査信号と同期されるようにデータ線Ｄ１〜Ｄｍに供給する。
【００２４】
タイミング制御部１５０は、走査駆動部１１０、データ駆動部１２０及び電源信号供給部１６０を制御する。また、タイミング制御部１５０は外部から供給されるデータをデータ駆動部１２０に伝達する。
【００２５】
画素部１３０は、外部から第１電源ＥＬＶＤＤ及び第２電源ＥＬＶＳＳの供給を受けてそれぞれの画素回路１４０に供給する。第１電源ＥＬＶＤＤ及び第２電源ＥＬＶＳＳの供給を受けた画素回路１４０のそれぞれはデータ信号に対応する光を生成する。
【００２６】
このような画素回路１４０は各自それぞれに含まれる有機発光ダイオードの劣化を補償して所望の輝度の光が生成されるようにする。このために、画素回路１４０のそれぞれには有機発光ダイオードの劣化を補償するための補償部が設けられる。
【００２７】
図４は、本発明の第１実施形態に係る画素回路を示す回路図である。図４では説明の便宜上、第ｎの走査線Ｓｎ及び第ｍのデータ線Ｄｍと接続された画素回路を示す。
【００２８】
図４を参照すれば、本発明の第１実施形態に係る画素回路１４０は、有機発光ダイオードＯＬＥＤと、有機発光ダイオードＯＬＥＤに電流を供給するための第２トランジスタＭ２と、第２トランジスタＭ２にデータ信号を伝達するための第１トランジスタＭ１と、データ信号に対応する電圧を格納するためのストレージキャパシタＣｓｔと、有機発光ダイオードＯＬＥＤの電圧変化に対応して第１ノードＮ１の電圧を制御するためのフィードバックキャパシタＣｆｂとを備える。つまり、画素回路１４０は、有機発光ダイオードＯＬＥＤと、この有機発光ダイオードＯＬＥＤに所定輝度の光を生成させるための、第２トランジスタＭ２と、第１トランジスタＭ１と、ストレージキャパシタＣｓｔと、フィードバックキャパシタＣｆｂとからなる画素制御部とを備えてなる。この中で、画素制御部は、フィードバックキャパシタＣｆｂを用いて有機発光ダイオードＯＬＥＤの電圧変化に対応して第１ノードＮ１の電圧を制御することで、有機発光ダイオードの劣化を補償する。このように画素回路１４０は、画素制御部内に補償部を有する。
【００２９】
有機発光ダイオードＯＬＥＤのアノード電極は第２トランジスタＭ２の第２電極に接続され、カソード電極は第２電源ＥＬＶＳＳに接続される。このような有機発光ダイオードＯＬＥＤは第２トランジスタＭ２から供給される電流に対応して所定輝度の光を生成する。このために、第１電源ＥＬＶＤＤは第２電源ＥＬＶＳＳより高い電圧値を有する。
【００３０】
第１トランジスタＭ１のゲート電極は走査線Ｓｎに接続され、第１電極はデータ線Ｄｍに接続される。そして、第１トランジスタＭ１の第２電極は第２トランジスタＭ２のゲート電極（即ち、第１ノードＮ１）に接続される。このような第１トランジスタＭ１は走査線Ｓｎに走査信号が供給される時にターンオンされてデータ線Ｄｍに供給されるデータ信号を第１ノードＮ１に供給する。
【００３１】
第２トランジスタＭ２のゲート電極は第１ノードＮ１に接続され、第１電極は第１電源ＥＬＶＤＤに接続される。そして、第２トランジスタＭ２の第２電極は有機発光ダイオードＯＬＥＤのアノード電極に接続される。このような第２トランジスタＭ２は第１ノードＮ１に印加される電圧に対応する電流を有機発光ダイオードＯＬＥＤに供給する。
【００３２】
ストレージキャパシタＣｓｔは第１ノードＮ１と電源線ＶＬｎとの間に接続される。このようなストレージキャパシタＣｓｔはデータ信号に対応する電圧を充電する。
【００３３】
フィードバックキャパシタＣｆｂは第１ノードＮ１と有機発光ダイオードＯＬＥＤのアノード電極との間に接続される。このようなフィードバックキャパシタＣｆｂは有機発光ダイオードＯＬＥＤの電圧変化量に対応して第１ノードＮ１の電圧を制御する。
【００３４】
図５は、図４に示した画素回路の駆動方法を示す波形図である。図４及び図５を参照して動作過程を詳細に説明すれば、まず第１期間Ｔ１に電源線ＶＬｎに電源信号が供給される。
【００３５】
電源線ＶＬｎに電源信号が供給されると、電源線ＶＬｎの電圧が第４電源の電圧Ｖ４から第３電源の電圧Ｖ３に下降する。このとき、ストレージキャパシタＣｓｔのカップリングによって第１ノードＮ１の電圧も電源線ＶＬｎの電圧下降に対応して下降する。
【００３６】
第１ノードＮ１の電圧が下降すれば、第２トランジスタＭ２から有機発光ダイオードＯＬＥＤに第１電流が供給される。ここで、第３電源の電圧Ｖ３及び第４電源の電圧Ｖ４は第２トランジスタＭ２から有機発光ダイオードＯＬＥＤに高い第１電流が流れ得るように設定される。例えば、第３電源の電圧Ｖ３及び第４電源の電圧Ｖ４はデータ信号に対応して有機発光ダイオードＯＬＥＤに流れ得る最大電流より高い電流が流れることができるように設定される。
【００３７】
第２トランジスタＭ２から第１電流の供給を受ける有機発光ダイオードＯＬＥＤには第１電流に対応する電圧が印加される。このとき、フィードバックキャパシタＣｆｂは有機発光ダイオードＯＬＥＤに印加される電圧と、第１ノードＮ１に印加される電圧の差電圧に対応する電圧を充電する。
【００３８】
第２期間Ｔ２には走査線Ｓｎに走査信号が供給される。走査線Ｓｎに走査信号が供給されると、第１トランジスタＭ１がターンオンされる。第１トランジスタＭ１がターンオンされると、データ線Ｄｍに供給されたデータ信号が第１ノードＮ１に供給される。このとき、ストレージキャパシタＣｓｔはデータ信号に対応する電圧を充電する。
【００３９】
一方、データ信号は後で電源線ＶＬｎの電圧が上昇する場合、正常な階調に対応する電流が供給され得るように実際に表現しようとする階調よりも高い階調（即ち、より多くの発光電流を出すように）に対応する電圧値で供給される。
【００４０】
第３期間Ｔ３には走査線Ｓｎに走査信号の供給が中断される。走査線Ｓｎへの走査信号の供給が中断されると、第１トランジスタＭ１がターンオフされる。この期間にフィードバックキャパシタＣｆｂは有機発光ダイオードＯＬＥＤに供給される第１電流に対応して印加される電圧を持続的に充電する。ここで、第１電流はデータ信号及び電源線ＶＬｎの電圧下降に対応する電流を意味する。
【００４１】
第４期間Ｔ４には電源線ＶＬｎに供給される電源信号の供給が中断される。
【００４２】
電源線ＶＬｎへの電源信号の供給が中断されると、電源線ＶＬｎの電圧が第３電源の電圧Ｖ３から第４電源の電圧Ｖ４に上昇する。このとき、第１ノードＮ１がフローティング状態に設定されるため、第１ノードＮ１の電圧も電源線ＶＬｎの電圧上昇に対応して上昇する。この場合、第２トランジスタＭ２は第１ノードＮ１の電圧に対応して第１電流より低い第２電流を有機発光ダイオードＯＬＥＤに供給する。
【００４３】
第２トランジスタＭ２から第２電流の供給を受ける有機発光ダイオードＯＬＥＤには第２電流に対応する電圧が印加される。ここで、第２電流は第１電流に比べて低い電流であるため、第４期間Ｔ４に有機発光ダイオードＯＬＥＤに印加される電圧は第３期間Ｔ３に比べて低い電圧に設定される。
【００４４】
このとき、フローティング状態に設定された第１ノードＮ１の電圧は有機発光ダイオードＯＬＥＤに印加される電圧に対応して変化される。実際に、第１ノードＮ１の電圧は、次の式１のように変化される。
【００４５】
ＶＮ１＝Ｖｄａｔａ−｛Ｃｆｂ×（Ｖｏｌｅｄ１−Ｖｏｌｅｄ２／（Ｃｓｔ＋Ｃｆｂ）                                            （式１）
式１において、Ｖｏｌｅｄ１は第１電流に対応して有機発光ダイオードＯＬＥＤに印加される電圧、Ｖｏｌｅｄ２は第２電流に対応して有機発光ダイオードＯＬＥＤに印加される電圧、Ｖｄａｔａはデータ信号に対応する電圧を意味する。
【００４６】
式１を参照すれば、有機発光ダイオードＯＬＥＤに印加される電圧が変化される場合、第１ノードＮ１の電圧が変化されることが分かる。ここで、有機発光ダイオードＯＬＥＤが劣化する場合、有機発光ダイオードＯＬＥＤの抵抗が増加してＶｏｌｅｄ１−Ｖｏｌｅｄ２の電圧値が増加し、これにより、第１ノードＮ１の電圧の下降幅が増加する。即ち、本発明では有機発光ダイオードＯＬＥＤが劣化する場合、同じデータ信号に対応して第２トランジスタＭ２から流れる電流が増加する。これにより、有機発光ダイオードＯＬＥＤの劣化を補償できる。
【００４７】
図６は、本発明の第２実施形態に係る画素回路を示す図である。図６で図４と同一の構成についての詳細な説明は省略する。
【００４８】
図６を参照すれば、本発明の第２実施形態に係る画素回路１４０’にあってストレージキャパシタＣｓｔは第１電源ＥＬＶＤＤと第１ノードＮ１との間に接続される。このようなストレージキャパシタＣｓｔはデータ信号に対応する電圧を充電する。
【００４９】
そして、本発明の第２実施形態に係る画素回路１４０’は電源線ＶＬｎと第１ノードＮ１との間に接続されるブースティングキャパシタＣｂを更に備える。即ち、図４に示した画素回路１４０ではストレージキャパシタＣｓｔを用いて第１ノードＮ１の電圧を変更させたが、図６に示す画素回路１４０’では別途のブースティングキャパシタＣｂを用いて第１ノードＮ１の電圧を変更させる。その他の動作過程は図４に示した画素回路１４０と同一であるため、詳細な説明は省略する。
【００５０】
図７は、本発明の第３実施形態に係る画素回路を示す図である。図６と同一の構成についての詳細な説明は省略する。
【００５１】
図７を参照すれば、本発明の第３実施形態に係る画素回路１４０”でブースティングキャパシタＣｂは走査線Ｓｎと第１ノードＮ１との間に接続される。このようなブースティングキャパシタＣｂは走査線Ｓｎに供給される走査信号に対応して第１ノードＮ１の電圧を変更させる。
【００５２】
図８は、図７に示した画素回路の駆動方法を示す波形図である。図７及び図８を結びつけて動作過程を詳細に説明すれば、まず第１期間Ｔ１に走査線Ｓｎに走査信号が供給される。
【００５３】
走査線Ｓｎに走査信号が供給されると、第１トランジスタＭ１がターンオンされる。第１トランジスタＭ１がターンオンされると、データ信号が第１ノードＮ１に供給される。そして、走査線Ｓｎに走査信号が供給されると、走査線Ｓｎの電圧が第４電源の電圧Ｖ４から第３電源の電圧Ｖ３に下降する。このとき、ブースティングキャパシタＣｂによって第１ノードＮ１の電圧も走査線Ｓｎの電圧下降に対応して下降する。
【００５４】
第１ノードＮ１の電圧が下降すれば、第２トランジスタＭ２から有機発光ダイオードＯＬＥＤに第１電流が供給される。ここで、第１電流はデータ信号及び走査線Ｓｎの電圧下降に対応する電流を意味する。
【００５５】
第１期間Ｔ１に有機発光ダイオードＯＬＥＤには第１電流に対応する電圧が印加される。このとき、フィードバックキャパシタＣｆｂには有機発光ダイオードＯＬＥＤに印加される電圧と第１ノードＮ１に印加される電圧の差電圧に対応する電圧が充電される。
【００５６】
第２期間Ｔ２には走査線Ｓｎへの走査信号の供給が中断される。走査線Ｓｎへの走査信号の供給が中断されると、第１トランジスタＭ１がターンオフされる。そして、走査線Ｓｎへの走査信号の供給が中断されると、走査線Ｓｎの電圧が第３電源の電圧Ｖ３から第４電源の電圧Ｖ４に上昇する。このとき、第１ノードＮ１がフローティング状態に設定されるため、第１ノードＮ１の電圧も走査線Ｓｎの電圧上昇に対応して上昇する。この場合、第２トランジスタＭ２は第１ノードＮ１の電圧に対応して第１電流より低い第２電流を有機発光ダイオードＯＬＥＤに供給する。
【００５７】
第２トランジスタＭ２から第２電流の供給を受ける有機発光ダイオードＯＬＥＤには第２電流に対応する電圧が印加される。ここで、第２電流は第１電流に比べて低い電流であるため、第２期間Ｔ２に有機発光ダイオードＯＬＥＤに印加される電圧は第１期間Ｔ１に比べて低い電圧に設定される。
【００５８】
このとき、フローティング状態に設定された第１ノードＮ１の電圧は有機発光ダイオードＯＬＥＤに印加される電圧に対応して変化される。即ち、第１ノードＮ１に印加される電圧は有機発光ダイオードＯＬＥＤに印加される電圧によって変化される。ここで、有機発光ダイオードが劣化する場合、第１電流及び第２電流に対応して有機発光ダイオードＯＬＥＤに印加される電圧の電圧差が増加し、これにより、第１ノードＮ１の電圧の下降幅が増加する。即ち、本発明では有機発光ダイオードＯＬＥＤが劣化する場合、同じデータ信号に対応して第２トランジスタＭ２から流れる電流が増加する。これにより、有機発光ダイオードＯＬＥＤの劣化を補償できる。
【００５９】
以上、本発明の最も好ましい実施の形態について説明したが、本発明は、上記記載に限定されるものではなく、特許請求の範囲に記載され、又は明細書に開示された発明の要旨に基づき、当業者において様々な変形や変更が可能であることはもちろんであり、斯かる変形や変更が、本発明の範囲に含まれることは言うまでもない。
【図面の簡単な説明】
【００６０】
【図１】一般の有機電界発光表示装置の画素回路を示す回路図である。
【図２】有機発光ダイオードの劣化特性を示すグラフである。
【図３】本発明の実施形態に係る有機電界発光表示装置を示す図である。
【図４】図３に示した画素回路の第１実施形態を示す図である。
【図５】図４に示した画素回路の駆動方法を示す波形図である。
【図６】図３に示した画素回路の第２実施形態を示す図である。
【図７】図３に示した画素回路の第３実施形態を示す図である。
【図８】図７に示した画素回路の駆動方法を示す波形図である。
【符号の説明】
【００６１】
２  画素制御部
４、１４０  画素回路
１１０  走査駆動部
１２０  データ駆動部
１３０  画素部
１５０  タイミング制御部
１６０  電源信号供給部
【図１】
0004871936.tif 000002
【図２】
0004871936.tif 000003
【図３】
0004871936.tif 000004
【図４】
0004871936.tif 000005
【図５】
0004871936.tif 000006
【図６】
0004871936.tif 000007
【図７】
0004871936.tif 000008
【図８】
0004871936.tif 000009